(57)【特許請求の範囲】
【請求項１】
上方視で略矩形の枠体と、前記枠体内に配置されて筒状の鉢を収容可能な収容部とを備え、前記枠体の長尺方向に４個の収容部を並べてなる列が、前記枠体の短尺方向に３列設けられ、合計１２個の前記収容部が、各々、上方に開口を有する有底筒状とされて同寸の前記鉢を収容可能であり、隣り合う収容部同士が開口側で連結されている樹脂製の園芸用トレーにおいて、
前記枠体の長尺方向に並べられた４個の収容部の列に、隣り合う収容部の底壁同士を連結する平板状の第一連結部と、隣り合う収容部の前記底壁から立ち上がる立壁同士を連結する平板状の第二連結部が交互に設けられ、前記第二連結部が、前記園芸用トレーの上下方向において前記開口と前記第一連結部の間に配置する園芸用トレー。
【請求項２】
前記枠体の短尺方向または長尺方向の辺をなす部分に、前記枠体の裏面側を平面としてなる持ち手部が形成される請求項１に記載の園芸用トレー。
【発明の詳細な説明】
【技術分野】
【０００１】
本発明は、最大１２個の筒状の鉢を収容可能な園芸用トレーに関する。
【背景技術】
【０００２】
この種の園芸用トレーとして、上方視で方形状の平板部に、植木鉢を一鉢毎に収容可能な複数の収容凹部を備えた樹脂製の園芸用トレーが公知である（特許文献１を参照）。この園芸用トレーにおいては、複数の収容凹部が、各々、平板部に開口する円形状の開口と、開口の内縁から下方に延びる複数の支持片と、これら支持片の下端に連結して植木鉢の底を支える底面載置部を備える。そして各収容凹部は、平面部によって互いに連結しているが、各収容凹部の支持片と底面載置部は個々に独立して配置している。
【０００３】
ところでこの種の園芸用トレーにおいては、運搬費用などを考慮して、なるべく多くの植木鉢を収容可能であることが望まれる。例えば公知技術の図１２には、１１個の植木鉢を収容可能な園芸用トレーが開示されており、この園芸用トレーでは、４つの収容凹部の列と、３つの収容凹部の列と、４つの収容凹部の列が短尺方向に並列して設けられている。また公知技術の図６には、１２個の植木鉢を収容可能な園芸用トレーが開示されている。この１２個用の園芸用トレーは、１１個用の園芸用トレーよりも寸大とされており、枠体の長尺方向に４個の収容凹部を並べてなる列が、枠体の短尺方向に３列設けられる。このように１２個を収容可能な園芸用トレーでは、一度に運べる植木鉢が１１個用の園芸用トレーよりも１個多くなることから、植木鉢の運搬費用を低額に抑えることができる。
【先行技術文献】
【特許文献】
【０００４】
【特許文献１】特開平０７−２４６０３０号公報
【発明の概要】
【発明が解決しようとする課題】
【０００５】
しかし公知技術では、各収容凹部が、開口側で平面部によって互いに連結しているだけであるため、園芸用トレーの底側の強度が不足しがちであった。このため公知技術の園芸用トレーでは、多くの植木鉢を収容するほど、各収容凹部の底側が互いに離間又は近接するように撓りやすくなり、やや収容凹部の安定性に欠けた構成であった。もっとも各収容凹部の底側に平面部を配置してもよいが、そうすると今度は、各収容凹部の開口側が互いに離間又は近接するように撓りやすくなる。本発明は上述の点に鑑みて創案されたものであり、本発明が解決しようとする課題は、最大で１２個の鉢を安定的に収容可能な園芸用トレーを提供することにある。
【課題を解決するための手段】
【０００６】
上記課題を解決するための手段として、第１発明の園芸用トレーは、上方視で略矩形の枠体と、枠体内に配置されて筒状の鉢を収容可能な収容部とを備える樹脂製の園芸用トレーである。この園芸用トレーでは、枠体の長尺方向に４個の収容部を並べてなる列が、枠体の短尺方向に３列設けられる。そして合計１２個の収容部が、各々、上方に開口を有する有底筒状とされて同寸の鉢を収容可能であり、隣り合う収容部同士が開口側で連結されている。この種の園芸用トレーでは、最大で１２個の鉢を安定的に収容可能であることが望まれる。
【０００７】
そこで本発明では、枠体の長尺方向に並べられた４個の収容部の列に、隣り合う収容部の底壁同士を連結する平板状の第一連結部と、隣り合う収容部の底壁から立ち上がる立壁同士を連結する平板状の第二連結部が交互に設けられ、第二連結部が、園芸用トレーの上下方向において開口と第一連結部の間に配置する。本発明では、上下方向で見て異なる位置に二種類の連結部を設けたことで、隣り合う収容部の底壁又は開口が互いに近接又は離間するような園芸用トレーの撓りを好適に規制することができる。
【０００８】
第２発明の園芸用トレーは、第１発明の園芸用トレーであって、枠体の短尺方向または長尺方向の辺をなす部分に、枠体の裏面側を平面としてなる持ち手部が形成される。本発明では、持ち手部を平板状として持ちやすくしたことで、使い勝手の良い園芸用トレーとなる。
【発明の効果】
【０００９】
本発明に係る第１発明によれば、最大で１２個の鉢を安定的に収容可能な園芸用トレーを提供することができる。また第２発明によれば、最大で１２個の鉢を安定的に収容可能で且つ使い勝手の良い園芸用トレーを提供することができる。
【図面の簡単な説明】
【００１０】
【図１】園芸用トレーを上方から見た斜視図である。
【図２】園芸用トレーを下方から見た斜視図である。
【図３】園芸用トレーの上面図である。
【図４】園芸用トレーの一部を上方から見た斜視図である。
【図５】園芸用トレーの一部を下方から見た斜視図である。
【図６】持ち手部を上方から見た斜視図である。
【図７】持ち手部を下方から見た斜視図である。
【図８】図３のＶＩＩＩ−ＶＩＩＩ線断面図である。
【図９】図３のＩＸ−ＩＸ線断面図である。
【図１０】図３のＸ−Ｘ線断面図である。
【図１１】図３のＸＩ−ＸＩ線断面図である。
【図１２】図３のＸＩＩ−ＸＩＩ線断面図である。
【発明を実施するための形態】
【００１１】
以下、本発明を実施するための形態を、図１〜図１２を参照して説明する。各図には、便宜上、園芸用トレーの上方に符号ＵＰ、園芸用トレーの下方に符号ＤＷを付すことがある。図１〜図３の園芸用トレー２は、樹脂製の一体成形品であり、枠体４と、持ち手部６と、１２個の収容部１０Ａ〜１０Ｌと、複数種類の連結部（第一連結部２１，第二連結部２２）と、複数の区画部３０Ａ〜３０Ｌと、複数の柱部４１，４２を備える（各部の詳細は後述）。園芸用トレー２の材質（樹脂の種類）は特に限定しないが、複数の鉢を収容可能な強度を有することが望ましい。この種の樹脂として、ポリプロピレン（ＰＰ）、ポリスチレン（ＰＳ）、ポリエチレン（ＰＥ）、塩化ビニル（ＰＶＣ）、ポリエチレンテレフタレート（ＰＥＴ），アクリロニトリルブタジエンスチレン（ＡＢＳ）を例示できる。
【００１２】
そして本実施例の園芸用トレー２は、最大１２個の鉢５０を各収容部１０Ａ〜１０Ｌに収容した状態で運搬されるのであるが、このとき各収容部１０Ａ〜１０Ｌの形成部分が過度に撓るなどして不安定になることは極力回避すべきである。そこで本実施例では、後述する各連結部２１，２２にて、園芸用トレー２の強度を向上させることにより、最大１２個の鉢５０を安定的に収容することとした。以下、各構成について詳述する。
【００１３】
［鉢］
ここで鉢５０は、図３、図８及び図９を参照して、上方が開口する有底筒状の部材（中空）であり、植物や用土などを内部に収容可能である（なお図３では、便宜上、鉢を、透視して二点破線で示す）。本実施例の鉢５０は、円筒状の部材であり、開口をなす縁部がやや肉厚とされている。また鉢５０は、図８を参照して、開口に比して底部が径小とされており、その収容寸法が、下方から上方に向かうにつれて次第に大きくされる。この鉢５０の開口側の寸法Ｌ１は特に限定しないが、例えばφ１０ｃｍ〜１５ｃｍに設定でき、本実施例では、開口側の寸法Ｌ１がφ１２ｃｍの鉢５０を想定する。なお鉢５０の材質は特に限定しないが、例えば可撓性を備えた軟質樹脂を想定できる。そして園芸用トレー２には、最大で１２個の鉢５０を収容可能であり、本実施例では、これら収容されるべき鉢５０が全て同形同寸である。なお鉢の寸法や形状は適宜変更可能であり、例えば角柱状の鉢を使用することもできる。
【００１４】
［枠体］
枠体４は、図１〜図３を参照して、上方視で略矩形をなす枠状部位であり、一対の長辺部（第一長辺部４ａ，第二長辺部４ｂ）と、一対の短辺部（第一短辺部４ｃ，第二短辺部４ｄ）と、一対の持ち手部６を有する。第一長辺部４ａと第二長辺部４ｂは、それぞれ枠体４の長尺方向の一辺をなす部位であり、第一短辺部４ｃと第二短辺部４ｄは、それぞれ枠体４の短尺方向の一辺をなす部位である。これら各辺部４ａ〜４ｄは、後述する持ち手部６を除いて断面視で略逆Ｕ字状をなしており、図４、図５及び図８を参照して、枠体４の周縁をなす上面５ａと、上面５ａの外端が下方に屈曲してなる外縁部５ｂと、上面５ａの内端が下方に屈曲してなる内縁部５ｃとを有する。そして各辺部４ａ〜４ｄの裏面には、外縁部５ｂと内縁部５ｃを横断しながら突出する複数のリブ５ｄが適宜の間隔で設けられている。
【００１５】
［持ち手部］
持ち手部６は、図３、図６、図７及び図１１を参照して、園芸用トレー２の運搬時に持ち手となる部位であり、第一短辺部４ｃと第二短辺部４ｄにそれぞれ形成されている。この持ち手部６では、各短辺部４ｃ，４ｄの裏面が平面状とされており、作業者が持ちやすい構成とされている。例えば本実施例の持ち手部６は、各短辺部４ｃ，４ｄを断面視で略Ｕ字状となるように凹ませることで形成されており、この凹み部６ａの底面６ｂが平面状とされて、外縁部５ｂの端部と面一又はそれよりも下方に配置する。そして凹み部６ａの底面６ｂには複数の貫通孔６ｃが適宜の間隔で設けられており、この貫通孔６ｃによって、持ち手部６をなす凹み部６ａに水などが貯留することを好適に回避できる。また凹み部６ａ内には、隣り合う貫通孔６ｃの間に平板状のリブ部６ｄが設けられており、強度に優れる構成とされている。
【００１６】
［収容部］
園芸用トレー２には、図１〜図３を参照して、合計１２個の収容部１０Ａ〜１０Ｌが枠体４内に形成されており、各収容部１０Ａ〜１０Ｌに、上述の鉢５０を一鉢毎に収容可能である。本実施例では、枠体４内に、長尺方向に４つの収容部を並べてなる列が短尺方向に３列設けられる。すなわち第一収容部１０Ａ〜第四収容部１０Ｄ（第１列）が、第一長辺部４ａに沿って形成されて、枠体４の長尺方向に並列して配置する。また第五収容部１０Ｅ〜第八収容部１０Ｈ（第２列）が、第１列の各収容部１０Ａ〜１０Ｄに隣接しつつ枠体４の長尺方向に並列して配置する。そして第九収容部１０Ｉ〜第十二収容部１０Ｌ（第３列）が、第２列の各収容部１０Ｅ〜１０Ｈに隣接しつつ第二長辺部４ｂに沿って形成されて、枠体４の長尺方向に並列して配置する。
【００１７】
ここで図８及び図９を参照して、隣り合う収容部同士の離間寸法（Ｌ２，Ｌ３）は鉢５０を収容可能である限り特に限定しない。例えば本実施例では、図８を参照して、枠体４の長尺方向における収容部同士の離間寸法（例えば第一収容部１０Ａの中心と第二収容部１０Ｂの中心の離間寸法Ｌ２）を、鉢５０の開口側の寸法Ｌ１（本実施例ではφ１２ｃｍ）以上の長さに設定できる。また図９を参照して、枠体４の短尺方向における収容部同士の離間寸法（例えば第一収容部１０Ａの中心と第五収容部１０Ｅの中心の離間寸法Ｌ３）を、鉢５０の開口側の寸法Ｌ１よりも若干短めに設定できる。このように収容部同士の離間寸法を短くした場合にも、軟質樹脂製の鉢５０を、その開口縁で撓ませながら各収容部１０Ａ〜１０Ｌに収容することができる。
【００１８】
そして各収容部１０Ａ〜１０Ｌは、図１〜図３を参照して、上方に開口を有する有底筒状の部位であり、基本構成である底壁１２及び複数の側壁１４と、個別の構成である被吸着部１２ｄ及び後述の立壁１６を有する。ここで各収容部１０Ａ〜１０Ｌの基本構成は略同一であることから、図４を参照して、第一収容部１０Ａを一例として基本構成を説明する。この第一収容部１０Ａの底壁１２は、鉢５０の底面６ｂに対面状に配置する部位であり、略方形の外枠部１２ａと、外枠部１２ａの中央に配置する略円形の内枠部１２ｂとを有する。外枠部１２ａは、底壁１２の外形をなす部分であり、その外縁が上方に屈曲している。また内枠部１２ｂは、外枠部１２ａの中央に配置する部分であり、内枠部１２ｂの外縁が、９０°間隔で配置する平板状の橋渡し部１２ｃで外枠部１２ａの内縁につながっている。また複数の側壁１４は、外枠部１２ａの外縁から適宜の間隔をあけて立ち上がる平板状の部位であり、その上端が枠体４（または後述の区画部）につながっている。
【００１９】
ここで本実施例では、図３を参照して、各収容部１０Ａ〜１０Ｌの開口側の寸法に比して底壁１２の寸法が小さくされており、各側壁１４が、底壁１２から開口に向かうにつれて次第に底壁１２から離れる方向に傾斜している。このため空の園芸用トレー２に、空の別の園芸用トレー（本実施例の園芸用トレー２と同一構成の園芸用トレー）を重ねて保管する場合には、この園芸用トレー２の各収容部１０Ａ〜１０Ｌに、別の園芸用トレーの各収容部を嵌め込みながら重ね置きしておくことができる。そして園芸用トレー２の使用時においては、園芸用トレー２を、ロボットの吸着アームに吸着させて所定の場所に移動する。このため図４を参照して、園芸用トレー２の四隅に配置する収容部（例えば第一収容部１０Ａ）には、その底壁１２に、吸着アームが吸着する平板状の被吸着部１２ｄが設けられている。
【００２０】
［立壁］
そして本実施例では、後述する複数種類の連結部２１，２２によって、隣り合う収容部同士が連結されており、特定の収容部は、第二連結部２２を設けるための立壁１６を有する。例えば図３を参照して、第１列の各収容部１０Ａ〜１０Ｄを一例に説明すると、第一収容部１０Ａと第二収容部１０Ｂの隣り合う辺（隣接辺）と、第三収容部１０Ｃと第四収容部１０Ｄの隣接辺には同一構成の立壁１６がそれぞれ設けられる。これら立壁１６は、例えば図４を参照して、略台形状をなす平板状の部位であり、隣り合う収容部の隣接辺（例えば第一収容部１０Ａでは第二収容部１０Ｂに隣接する辺、また第二収容部１０Ｂでは第一収容部１０Ａに隣接する辺）から立ち上がる。そして隣り合う収容部から立ち上がった両立壁１６は、互いに対面状に配置しており、その上端が、園芸用トレー２の上下方向で見て底壁１２と開口の間に配置する。また第二列目の第六収容部１０Ｆと第七収容部１０Ｇの隣接辺にも同一構成の立壁１６がそれぞれ設けられる。そして第三列目の第九収容部１０Ｉと第十収容部１０Ｊの隣接辺と、第十一収容部１０Ｋと第十二収容部１０Ｌの隣接辺にも同一構成の立壁１６がそれぞれ設けられる。
【００２１】
［連結部］
第一連結部２１と第二連結部２２（詳細後述）は、図３を参照して、隣り合う収容部同士を連結する部位であり、枠体４の長尺方向において交互に設けられる。そして本実施例では、園芸用トレー２の上方視において、第一連結部２１と第二連結部２２が千鳥状をなすように配置している。すなわち第１列の各収容部１０Ａ〜１０Ｄにおいては、園芸用トレー２の長尺方向で見て、第二連結部２２と第一連結部２１と第二連結部２２がこの順で形成されている。また第２列の各収容部１０Ｅ〜１０Ｈにおいては、園芸用トレー２の長尺方向で見て、第一連結部２１と第二連結部２２と第一連結部２１がこの順で形成されている。そして第３列の各収容部１０Ｉ〜１０Ｌにおいては、園芸用トレー２の長尺方向で見て、第二連結部２２と第一連結部２１と第二連結部２２がこの順で形成されている。さらに本実施例では、枠体４の短尺方向で見て、第一短辺部４ｃに沿って配置する第一収容部１０Ａと第五収容部１０Ｅと第九収容部１０Ｉが、それぞれ第一連結部２１によって連結されている。また同様に第二短辺部４ｄに沿って配置する第四収容部１０Ｄと第八収容部１０Ｈと第十二収容部１０Ｌが、それぞれ第一連結部２１によって連結されている。
【００２２】
［第一連結部］
第一連結部２１は、図１〜図３を参照して、隣り合う収容部の底壁１２同士を連結する平板状の部位である。ここで各第一連結部２１の基本構成は略同一であることから、図４を参照して、第一収容部１０Ａと第五収容部１０Ｅを連結する第一連結部２１を一例にその詳細を説明する。この第一連結部２１は、各収容部１０Ａ，１０Ｅの底壁１２よりも小寸とされた略矩形の平板部位であり、第一収容部１０Ａの底壁１２と第五収容部１０Ｅの底壁１２の間に配置する。この第一連結部２１の開口を臨む表面には、複数の補強構造（第一補強構造２１ａ，第二補強構造２１ｂ）が凸設されている。第一補強構造２１ａは、図４及び図９を参照して、第一連結部２１を横断しながら起立する平板部位であり、第一連結部２１と各収容部１０Ａ，１０Ｅの間にそれぞれ形成される。また第二補強構造２１ｂは、第一連結部２１の中央に凸設された略円形状の部位であり、少なくとも一部の第一連結部２１に設けることができる。さらに第一連結部２１の裏面は、図５、図９及び図１０を参照して、第一連結部２１を横断する凹み状の溝部２１ｃによって段差状とされている。そしてこの溝部２１ｃによって、園芸用トレー２の成形時における樹脂の過度の熱収縮が規制されて、園芸用トレー２の底側が上方又は下方に過度に反り返ることが好適に回避される。
【００２３】
［第二連結部］
また第二連結部２２は、図１〜図３を参照して、隣り合う収容部の立壁１６同士を連結する平板状の部位である。ここで各第二連結部２２の基本構成は略同一であることから、図４を参照して、第一収容部１０Ａと第二収容部１０Ｂを連結する第二連結部２２を一例にその詳細を説明する。この第二連結部２２は、略矩形の平板部位であり、第一収容部１０Ａの隣接辺から立ち上がる立壁１６と、第二収容部１０Ｂの隣接辺から立ち上がる立壁１６の間を連結する。そして第二連結部２２の形成位置においては、図２及び図８を参照して、園芸用トレー２の底面６ｂ側が上に凸の段差状とされており、この第二連結部２２が、園芸用トレー２の上下方向で見て、第一連結部２１と開口の間に配置される。そして第二連結部２２の裏面にも、図８を参照して、第一連結部２１と同様に、第二連結部２２を横断する溝部２２ｃが形成されている。
【００２４】
［区画部］
そして枠体４の内部は、図１及び図３を参照して、複数の区画部（複数の周縁区画部３０Ａ〜３０Ｊ，一対の中央区画部３０Ｋ，３０Ｌ）にて１２の区画に区分けされ、これら区画ごとに一つの収容部が配置する。これら複数の区画部３０Ａ〜３０Ｌは、園芸用トレー２の上下方向で見て枠体４の上面５ａと同位置に配置しており、これら複数の区画部３０Ａ〜３０Ｌと枠体４の上面５ａが、対応する収容部の開口を形作っている。各複数の周縁区画部３０Ａ〜３０Ｊは、それぞれ枠体４の内縁から隣り合う収容部の間に突出する平板状の部位であり、対応する連結部２１，２２の近傍位置まで突出する。
【００２５】
例えば図３を参照して、第１列目の各収容部１０Ａ〜１０Ｄは、第一長辺部４ａから短尺方向に突出する複数の周縁区画部３０Ａ〜３０Ｃによって区画されている。これら複数の周縁区画部３０Ａ〜３０Ｃは、第一長辺部４ａから短尺方向に延びつつ第一連結部２１又は第二連結部２２の形成位置の近傍に突出する。また第３列目の各収容部１０Ｉ〜１０Ｌも、第二長辺部４ｂから短尺方向に突出する複数の周縁区画部３０Ｄ〜３０Ｆによって区画されている。さらに第一短辺部４ｃに沿って配置する第一収容部１０Ａと第五収容部１０Ｅと第九収容部１０Ｉも、第一短辺部４ｃから長尺方向に突出する複数の周縁区画部３０Ｇ，３０Ｈによって区画されている。そして第二短辺部４ｄに沿って配置する第四収容部１０Ｄと第八収容部１０Ｈと第十二収容部１０Ｌも、第一短辺部４ｃから長尺方向に突出する複数の周縁区画部３０Ｉ，３０Ｊによって区画されている。
【００２６】
また図３及び図１２を参照して、第１列の各収容部１０Ａ〜１０Ｄと、第２列の各収容部１０Ｅ〜１０Ｈは、枠体４の長尺方向に延びる中央区画部３０Ｋにて区画されている。この中央区画部３０Ｋの一端部（第一短辺部側の端部）は略横Ｔ字状をなすように分岐しており、それぞれの突出端の先端が、第一収容部１０Ａと第二収容部１０Ｂの間と、第一収容部１０Ａと第五収容部１０Ｅの間と、第五収容部１０Ｅと第六収容部１０Ｆの間に延びている。また中央区画部３０Ｋの他端部（第二短辺部側の端部）も、略横Ｔ字状をなすように分岐しており、それぞれの突出端の先端が、第三収容部１０Ｃと第四収容部１０Ｄの間と、第四収容部１０Ｄと第八収容部１０Ｈの間と、第七収容部１０Ｇと第八収容部１０Ｈの間に延びている。そして中央区画部３０Ｋの中央は略十字状とされており、枠体４の短尺方向に突出する一方の突出端が、第二収容部１０Ｂと第三収容部１０Ｃの間に延び、他方の突出端が、第六収容部１０Ｆと第七収容部１０Ｇの間に延びる。
【００２７】
また同様に図３を参照して、第２列の各収容部１０Ｅ〜１０Ｈと、第３列の各収容部１０Ｉ〜１０Ｌも、枠体４の長尺方向に延びる他の中央区画部３０Ｌにて区画されている。この他の中央区画部３０Ｌの一端部（第一短辺部側の端部）は、略横Ｔ字状をなすように分岐しており、それぞれの突出端の先端が、第五収容部１０Ｅと第六収容部１０Ｆの間と、第五収容部１０Ｅと第九収容部１０Ｉの間と、第九収容部１０Ｉと第十収容部１０Ｊの間に延びている。また他の中央区画部３０Ｌの他端部（第二短辺部側の端部）も、略横Ｔ字状をなすように分岐しており、それぞれの突出端の先端が、第七収容部１０Ｇと第八収容部１０Ｈの間と、第八収容部１０Ｈと第十二収容部１０Ｌの間と、第十一収容部１０Ｋと第十二収容部１０Ｌの間に延びている。そして中央区画部３０Ｋの中央は略十字状とされており、枠体４の短尺方向に突出する一方の突出端が、第六収容部１０Ｆと第七収容部１０Ｇの間に延び、他方の突出端が、第十収容部１０Ｊと第十一収容部１０Ｋの間に延びる。
【００２８】
［柱部］
複数の柱部（複数の第一柱部４１，複数の第二柱部４２）は、図１〜図３を参照して、隣り合う収容部同士を開口側で連結する部位であり、後述するように対応する区画部に連結されている。そして複数の第一柱部４１は、それぞれ第一連結部２１の形成位置に設けられる柱部である。これら各第一柱部４１の基本構成は略同一であることから、図４を参照して、第一収容部１０Ａと第五収容部１０Ｅの間に形成された第一柱部４１を一例にその詳細を説明する。この第一柱部４１は、第一収容部１０Ａの隣接辺から上方に延びる平板面と、第五収容部１０Ｅの隣接辺から上方に延びる平板面と、第一連結部２１の側部から延びる平板面とからなる三面柱である。そして枠体４の短尺方向に沿って配置する各第一柱部４１は、対応する第一連結部２１の枠体４の長尺方向で見た両側にそれぞれ形成されている。また第１列〜第３列に形成されて枠体４の長尺方向に沿って配置する第一柱部４１（例えば図３を参照して第二収容部１０Ｂと第三収容部１０Ｃの間の第一柱部４１）は、対応する第一連結部２１の枠体４の短尺方向で見た両側にそれぞれ形成されている。
【００２９】
また複数の第二柱部４２は、それぞれ第二連結部２２の形成位置に設けられる柱部である。これら各第二柱部４２の基本構成は略同一であることから、図４を参照して、第一収容部１０Ａと第二収容部１０Ｂの間に形成された第二柱部４２を一例にその詳細を説明する。この第二柱部４２は、第一収容部１０Ａの立壁１６から上方に延びる平板面と、第二収容部１０Ｂの立壁１６から上方に延びる平板面が対面状に配置することで形成される二面柱である。そして第１列〜第３列に形成されて枠体４の長尺方向に沿って配置する第二柱部４２は、対応する第二連結部２２の枠体４の短尺方向で見た両側にそれぞれ形成されている。
【００３０】
［各収容部の開口側での連結］
そして各柱部４１，４２の上端が各区画部３０Ａ〜３０Ｌにつながることで、隣り合う収容部同士が開口側で連結される。例えば図３を参照して、第１列の各収容部１０Ａ〜１０Ｄにおいては、第一収容部１０Ａと第二収容部１０Ｂが、第一長辺部４ａ側の第二柱部４２と周縁区画部３０Ａを介して開口側で連結される。また第二収容部１０Ｂと第三収容部１０Ｃが、第一長辺部４ａ側の第一柱部４１と周縁区画部３０Ｂを介して開口側で連結される。そして第三収容部１０Ｃと第四収容部１０Ｄが、第一長辺部４ａ側の第二柱部４２と周縁区画部３０Ｃを介して開口側で連結される。また同様に第３列の各収容部１０Ｉ〜１０Ｌにおいても、第二長辺部４ｂ側の第一柱部４１と第二柱部４２が、それぞれ対応する周縁区画部３０Ｄ〜３０Ｆに連結することで隣り合う収容部同士が開口側で連結される。また第一短辺部４ｃに沿って配置する第一収容部１０Ａと第五収容部１０Ｅと第九収容部１０Ｉも、第一短辺部４ｃ側の第一柱部４１と周縁区画部３０Ｇ，３０Ｈを介して開口側で連結される。また第二短辺部４ｄに沿って配置する第四収容部１０Ｄと第八収容部１０Ｈと第十二収容部１０Ｌも、第二短辺部４ｄ側の第一柱部４１と周縁区画部３０Ｉ，３０Ｊを介して開口側で連結される。
【００３１】
そして枠体４の短尺方向で見て、第１列の各収容部１０Ａ〜１０Ｄと、第２列の各収容部１０Ｅ〜１０Ｈが、各柱部４１，４２と中央区画部３０Ｋを介して開口側で連結される。このとき中央区画部３０Ｋの略横Ｔ字状をなす一端側の各突出端には、第一収容部１０Ａと第二収容部１０Ｂの間の第二柱部４２と、第一収容部１０Ａと第五収容部１０Ｅの間の第一柱部４１と、第五収容部１０Ｅと第六収容部１０Ｆの間の第一柱部４１が連結されている。また中央区画部３０Ｋの略横Ｔ字状をなす他端側の各突出端には、第三収容部１０Ｃと第四収容部１０Ｄの間の第二柱部４２と、第四収容部１０Ｄと第八収容部１０Ｈの間の第一柱部４１と、第七収容部１０Ｇと第八収容部１０Ｈの間の第一柱部４１が連結されている。そして中央区画部３０Ｋの略十字をなす中央部分の各突出端には、第二収容部１０Ｂと第三収容部１０Ｃの間の第一柱部４１と、第六収容部１０Ｆと第七収容部１０Ｇの間の第二柱部４２が連結されている。
【００３２】
また同様に第２列の各収容部１０Ｅ〜１０Ｈと、第３列の各収容部１０Ｉ〜１０Ｌが、各柱部４１，４２と他の中央区画部３０Ｌを介して開口側で連結される。このとき他の中央区画部３０Ｌの略横Ｔ字状をなす一端側の各突出端には、第五収容部１０Ｅと第六収容部１０Ｆの間の第一柱部４１と、第五収容部１０Ｅと第九収容部１０Ｉの間の第一柱部４１と、第九収容部１０Ｉと第十収容部１０Ｊの間の第二柱部４２が連結されている。また他の中央区画部３０Ｌの略横Ｔ字状をなす他端側の各突出端には、第七収容部１０Ｇと第八収容部１０Ｈの間の第一柱部４１と、第八収容部１０Ｈと第十二収容部１０Ｌの間の第一柱部４１と、第十一収容部１０Ｋと第十二収容部１０Ｌの間の第二柱部４２が連結されている。そして他の中央区画部３０Ｌの略十字をなす中央部分の各突出端には、第六収容部１０Ｆと第七収容部１０Ｇの間の第二柱部４２と、第十収容部１０Ｊと第十一収容部１０Ｋの間の第一柱部４１が連結されている。
【００３３】
［園芸用トレーの使用態様］
図３、図８及び図９を参照して、最大１２個の鉢５０を園芸用トレー２に収容したのち、この園芸用トレー２を運搬することで、一度に運べる鉢５０が多くなり運搬費用を低額に抑えることができる（なお各図には、便宜上、一部の収容部に収容された鉢だけを図示する）。特に本実施例では、持ち手部６をなす各短辺部４ｃ，４ｄの裏面が平面状とされており、作業者が持ちやすい構成とされている。しかしこの種の園芸用トレー２では、多くの鉢５０を収容するほど、各収容部１０Ａ〜１０Ｌの底側又は開口側が互いに離間又は近接するように撓りやすくなることが懸念される。
【００３４】
そこで本実施例では、枠体４の長尺方向において、隣り合う収容部の底壁１２同士を連結する平板状の第一連結部２１と、隣り合う収容部の立壁１６同士を連結する平板状の第二連結部２２が交互に設けられる。そして第二連結部２２が、園芸用トレー２の上下方向において第一連結部２１と開口の間に配置する。こうして本実施例では、上下方向で見て異なる位置に二種類の連結部２１，２２を設けたことで、隣り合う収容部の底側又は開口側が互いに近接又は離間するような園芸用トレー２の撓りを好適に規制できる。すなわち開口側を基点として隣り合う収容部の底側が近接又は離間しようとした際には、第二連結部２２が、第一連結部２１とともにその動きを規制する。また逆に底側を基点として隣り合う収容部の開口側が近接又は離間しようとした際には、第二連結部２２が、各区画部３０Ａ〜３０Ｌとともにその動きを規制する。特に本実施例では、図３を参照して、第一連結部２１と第二連結部２２が千鳥状をなすように配置している。このため園芸用トレー２全体において、隣り合う収容部同士が互いに近接又は離間するような園芸用トレー２の撓りをバランスよく規制することができる。こうして本実施例によれば、最大で１２個の鉢５０を安定的に収容可能な園芸用トレー２を提供することができる。
【００３５】
本実施形態の園芸用トレーは、上述した実施形態に限定されるものではなく、その他各種の実施形態を取り得る。例えば本実施形態では、第一連結部２１と第二連結部２２の構成（形状，寸法，形成数，配置位置など）を説明したが、各連結部の構成を限定する趣旨ではない。例えば園芸用トレーの長尺方向で見て、第１列と第２列と第３列の各収容部においては、第一連結部と第二連結部が少なくとも一部で交互に形成されていればよく、第一連結部同士又は第二連結部同士が連続して形成される箇所を設けることができる。また第一短辺部または第二短辺部に沿って配置する各収容部を、第一連結部と第二連結部の少なくとも一方の連結部で連結することができる。また第一連結部と第二連結部は、千鳥状などの一定の規則に基づいて配置していてもよく、ランダムに配置していてもよい。
【００３６】
また本実施形態では、一対の持ち手部６の構成（形状，寸法，形成位置，形成数等）を例示したが、同部の構成を限定する趣旨ではない。例えば持ち手部は、一対の長辺部と一対の短辺部の少なくとも一辺に形成することができ、持ち手部を省略することもできる。また持ち手部は、例えば平板状の部材を枠体の外縁部と内縁部に橋渡し状に後付けすることでも形成できる。
【００３７】
また本実施形態では、枠体４及び各収容部１０Ａ〜１０Ｌの構成を例示したが、枠体及び各収容部の構成を限定する趣旨ではない。例えば枠体をなす上面と外縁部と内縁部とリブの構成は適宜変更可能である。また収容部をなす底壁と側壁と立壁の構成も適宜変更可能である。また各区画部３０Ａ〜３０Ｋの構成を例示したが、これら各区画部の構成を限定する趣旨ではない。また同様に各柱部４１，４２の構成も適宜変更可能である。
【符号の説明】
【００３８】
２     園芸用トレー
４     枠体
４ａ   第一長辺部
４ｂ   第二長辺部
４ｃ   第一短辺部
４ｄ   第二短辺部
６     持ち手部
１０Ａ〜１０Ｌ  収容部
１２   底壁
１４   側壁
１６   立壁
２１   第一連結部
２２   第二連結部
３０Ａ〜３０Ｌ  区画部
４１   第一柱部
４２   第二柱部
５０   鉢
【要約】
【課題】最大で１２個の鉢を安定的に収容可能な園芸用トレーを提供することにある。
【解決手段】枠体４の長尺方向に並べられた４個の収容部の列に、隣り合う収容部の底壁同士を連結する平板状の第一連結部２１と、隣り合う収容部の底壁から立ち上がる立壁同士を連結する平板状の第二連結部２２が交互に設けられ、第二連結部２２が、園芸用トレーの上下方向において各収容部の開口と第一連結部２１の間に配置する。
【選択図】図３【図２】
0005945356.tif 000002
【図３】
0005945356.tif 000003
【図８】
0005945356.tif 000004
【図９】
0005945356.tif 000005
【図１０】
0005945356.tif 000006
【図１１】
0005945356.tif 000007
【図１２】
0005945356.tif 000008
【図１】
0005945356.tif 000009
【図４】
0005945356.tif 000010
【図５】
0005945356.tif 000011
【図６】
0005945356.tif 000012
【図７】
0005945356.tif 000013